(57)【要約】【課題】  カップや缶の大きさに拘わりなく保持することのできる収納装置を提供する。【解決手段】  車両の室内壁９に収納可能に取り付けられた枠体２を備えた収納装置であって、枠体２に収納袋１２を取り付け、この枠体２を室内壁９から引き出した際にその収納袋１２の口枠１１が開成され、その枠体２を室内壁９へ収納した際に前記口枠１が閉成される。【選択図】            図１
2006315616.tif 000002
【特許請求の範囲】
【請求項１】
車両の室内壁に収納可能に取り付けられた枠体を備えた収納装置であって、
前記枠体に収納袋を取り付け、
この枠体を前記室内壁から引き出した際にその収納袋の口枠が開成され、その枠体を室内壁へ収納した際に前記口枠が閉成されることを特徴とする収納装置。
【請求項２】
前記枠体は、コ字形状の内枠と、この内枠の外側に内枠の移動方向と同方向にスライド移動可能に取り付けられたコ字形状の外枠とを有し、
前記収納袋を前記内枠と外枠との間に取り付け、外枠をスライド移動させることにより収納袋の口部の開閉を行うようにしたことを特徴とする請求項１に記載の収納装置。
【請求項３】
前記内枠が室内壁に収納された際に、前記収納袋を室内壁へ収納する収納機構を設けたことを特徴とする請求項２に記載の収納装置。
【請求項４】
前記収納機構は、内枠に取り付けられたラックと、このラックに噛合して内枠の移動により回転するギアと、このギアの回転により回転していくとともに収納袋の底部に取り付けた紐を巻取るプーリとを備え、
前記内枠が収納移動された際にプーリが前記紐を巻き取ることにより前記収納袋を室内壁へ収納し、内枠が引き出された際にプーリが逆回転して巻き取られた紐が引き出されて収納袋が室内壁から引き出されることを特徴とする請求項３に記載の収納装置。
【請求項５】
前記口部は、弾性変形可能な円形の口枠を有していることを特徴とする請求項１ないし請求項４のいずれか１つに記載の収納装置。
【発明の詳細な説明】
【技術分野】
【０００１】
本発明は、車両のインストルメントパネル等の室内壁に収納可能に取り付けられた枠体を備えた収納装置に関する。
【背景技術】
【０００２】
従来から、車両のインストルメントパネル等の室内壁に収納可能に設けたカップホルダーが知られている（特許文献１参照）。
【０００３】
かかるカップホルダーは、カップ挿入穴を有するトレイと、カップ挿入穴の下方に配置した受部を有するカップホルダー部等とを備えている。
【特許文献１】実開平５−４６５６４号公報
【発明の開示】
【発明が解決しようとする課題】
【０００４】
このような従来のカップホルダーは、カップ挿入穴の大きさが固定されていることにより、カップ挿入穴の大きさとほぼ同一の大きさのカップや缶などしか保持することができないという問題があった。
【０００５】
この発明の目的は、カップや缶の大きさに拘わりなく保持することのできる収納装置を提供することにある。
【課題を解決するための手段】
【０００６】
この発明は、車両の室内壁に収納可能に取り付けられた枠体を備えた収納装置であって、
前記枠体に収納袋を取り付け、
この枠体を室内壁から引き出した際にその収納袋の口枠が開成され、その枠体を室内壁へ収納した際に前記口枠が閉成されることを特徴とする。
【発明の効果】
【０００７】
この発明によれば、枠体に収納袋を取り付け、その枠体を室内壁へ収納することにより収納袋の口枠を閉成させることができるので、カップや缶をその大きさに拘わりなく収納袋に保持することができる。
【発明を実施するための最良の形態】
【０００８】
以下、この発明に係る収納装置の実施の形態である実施例を図面に基づいて説明する。
【実施例】
【０００９】
［第１実施例］
図１および図２に示す収納装置１は、車両のインストルメントパネル等の室内壁９に収納可能に取り付けられた枠体２と、この枠体２に取り付けられた収納袋１２とを備えている。
【００１０】
枠体２は、室内壁９に収納可能に取り付けられるとともに平面視がコ字形状の内枠１８と、この内枠１８の外側に左右方向にスライド移動可能に取り付けられた平面視がコ字形状の外枠２２とを備えている。
【００１１】
内枠１８は、左右方向に延びた一対の内アーム部２０,２０と、この内アーム部２０,２０の先端部（図１および図２において左端部）に取り付けられた内前板１９とから構成されている。各内アーム部２０の外側面には左右方向に沿ってガイド溝２０Ｇが形成されている。
【００１２】
外枠２２は、内枠１８の内アーム部２０,２０の外側位置に配置された外アーム部２４,２４と、この外アーム部２４,２４の先端部（図１および図２において左端部）に取り付けられた外前板２３とから構成されている。各外アーム部２４の内側面には、内枠１８の各内アーム部２０のガイド溝２０Ｇ内に摺動移動可能に係合した突起２４Ｔが設けられており、外枠２２が内枠１８に対して左右方向にスライド移動できるようになっている。
【００１３】
そして、外枠２２の外前板２３と、内枠１８の内前板１９とに収納袋１２の口枠１１が固定されている。口枠１１は、円形に形成された弾性変形可能な樹脂製であり、外枠２２の外前板２３および内枠１８の内前板１９に、接続部２７，２６においてそれぞれ固定されている。そして、外枠２２を内枠１８に対して右方向（図１において）にスライド移動させると、口枠１１は弾性変形して図３及び図４に示すように閉じるようになっている。
【００１４】
口枠１１の弾性力は、外枠２２を内枠１８に対してスライド移動する際の摩擦力より小さく設定され、口枠１１の弾性力によって外枠２２が内枠１８に対してスライド移動（図３において左方向へ移動）してしまうことがないようになっている。
【００１５】
次に、上記のように構成される収納装置１の作用について説明する。
【００１６】
先ず、図１および図２に示すように、内枠１８および外枠２２を室内壁９から引き出すとともに、外枠２２を内枠１８に対して左方向（図１および図２において）にスライド移動させる。このスライド移動により、収納袋１２の口枠１１が弾性力により開口する。そして、図５（ａ）に示すように収納袋１２内に、例えばジュース缶１４やカップを入れる。
【００１７】
収納袋１２は柔軟性を有していることにより、車両の前後左右の加速度に対して図５（ｂ）に示すように柔軟に移動することができるので、ジュース缶１４やカップからジュースがこぼれ難いものとなる。
【００１８】
また、収納袋１２は袋であることにより、図５（ｃ）に示すように、アクセサリー等の小物１５を入れることができる。しかも、外枠２２を内枠１８に対して右方向（図１および図２において）にスライド移動させると、収納袋１２の口枠１１が閉成するので、車両の前後左右の加速度に対して小物１５が収納袋１２から飛び出してしまうことを防止することができる。
【００１９】
収納袋１２には、上述のようにジュース缶１４やカップやアクセサリー１５等の他に、図６に示すように、例えば携帯電話３７なども入れることができるが、図７に示すように、防水性の収納袋３８を使用することにより、液体を直接入れることができ、花瓶代わりに植物３９を差し入れることができる。
【００２０】
収納装置１を使用しない場合には、図３に示すように、外枠２２を内枠１８に対して右方向にスライド移動させて収納袋３８の口枠１１を閉成させる。そして、図４に示すように、外枠２２および内枠１８を室内壁９へ収納させる。この収納により、外枠２２および内枠１８が邪魔になってしまうことがない。また、収納袋１２が室内壁９に当接する位置に位置されるので、収納袋１２が不使用時に邪魔になることも少ない。
［第２実施例］
図８および図９は、第２実施例の収納装置１００を示したものである。この第２実施例の収納装置１００は、室内壁９内に形成した格納室９Ａに収納機構３０を設け、この収納機構３０により収納袋１２を格納室９Ａに収納するようにしたものである。
【００２１】
収納機構３０は、内枠１８の内アーム部２０に設けたラック３６と、このラック３６に噛合するギア３５と、このギア３５と一体に回転していくプーリ３１と、
ローラ３３と、を備えている。そして、収納袋１２の底部には紐３２が取り付けられており、この紐３２がローラ３３を介してプーリ３１に巻き取られるようになっている。
【００２２】
この第２実施例によれば、内枠１８が室内壁９の格納室９Ａへ収納されると、すなわち内枠１８が図８および図９に示す位置から右方向へスライド移動されると、この移動とともにラック３６に噛合しているギア３５が反時計回りに回転していき、このギア３５とプーリ３１が一体に反時計回りに回転してプーリ３１が紐３２を巻き取っていく。
【００２３】
この紐３２の巻き取りにより、収納袋１２が底部から格納室９Ａへ入り込み、図１０および図１１に示すように収納袋１２が格納室９Ａへ収納される。
【００２４】
この第２実施例によれば、収納袋１２が格納室９Ａへ収納されるので、収納装置１００の不使用時には収納袋１２が邪魔になってしまうことはない。
【図面の簡単な説明】
【００２５】
【図１】本発明の実施例１に係わる収納装置であって、 内枠及び外枠に保持された収納袋の平面図である。
【図２】同じく、内枠及び外枠に保持された収納袋の側面図である。
【図３】同じく、袋状容器を格納させるときの内枠、外枠及び収納袋の平面図である。
【図４】同じく、袋状容器を格納させるときの内枠、外枠及び収納袋の側面図である。
【図５】同じく、（ａ）はカップ及び缶を格納した袋状容器の側面図、（ｂ）は加速度が作用したときのカップ及び缶及び袋状部の側面図、（ｃ）は小物を格納した袋状容器の側面図である。
【図６】同じく、リモコンを格納した袋状容器の側面図である。
【図７】同じく、液体を有する植物容器を格納した袋状容器の側面図である。
【図８】本発明の実施例２に係わる内枠、外枠及び収納機構の平面図である。
【図９】同じく、内枠、外枠及び収納機構の側面図である。
【図１０】同じく、図８に示す装置の作用を示す平面図である。
【図１１】同じく、図１０に示す装置の側面図である。
【符号の説明】
【００２６】
１            収納装置
２            枠体
９            室内壁
１１          口枠
１２          収納袋
１８          内枠
１９          内前板
２０          内アーム部
２２          外枠
２３          外前板
３０          収納機構
３１          プーリ
３２          紐
３３          ローラ
３５          ギア
３６          ラック
【図１】
2006315616.tif 000003
【図２】
2006315616.tif 000004
【図３】
2006315616.tif 000005
【図４】
2006315616.tif 000006
【図５】
2006315616.tif 000007
【図６】
2006315616.tif 000008
【図７】
2006315616.tif 000009
【図８】
2006315616.tif 000010
【図９】
2006315616.tif 000011
【図１０】
2006315616.tif 000012
【図１１】
2006315616.tif 000013